(57)【要約】      （修正有）【課題】監視カメラを、下から覗かれているという不信感を乗客に与えず、かつ、乗客の邪魔にならない位置に設けることができ、また、監視カメラに接続される電線の露出を容易に抑えることができるエスカレータ監視装置を提供すること。【解決手段】建物の天井とエスカレータの移動手摺との間に形成された狭角部、または、互いに交差する２つのエスカレータのうちの一方のエスカレータの底部と、他方のエスカレータの移動手摺との間に形成された狭角部に、挟まれ防止用の固定保護体及び可動警告体と、筒体１０を設け、筒体１０内に、監視カメラ１１とこの監視カメラ１１に接続される電線部材２０に含まれる第１電線部材２１を収容し、第１電線部材２１のケーブル２１ｃは、筒体１０の上下方向に設けられるスリットを通して延設され、この第１電線部材２１を含む電線部材２０は、筒体１０と外デッキボード６間に配置される。【選択図】図２
2011230874.tif 000002
【特許請求の範囲】
【請求項１】
天井とエスカレータの移動手摺との間に形成された狭角部、または、交差した状態で隣接する２つのエスカレータのうちの一方のエスカレータの底部と、他方のエスカレータの移動手摺との間に形成された狭角部と、前記狭角部に設けられ前記エスカレータの上昇運転時に乗客が前記狭角部に挟まれるのを防止するための保護体とを有する建物に設けられるエスカレータ監視装置において、
前記エスカレータおよび乗客を撮影する監視カメラと、
前記監視カメラを外部装置に電気的に接続する電線部材と、
前記エスカレータの上り方向を前方向とした場合の前記保護体の後端側に上下方向に延びた姿勢で設けられた筒体であって、前記監視カメラが収容されたカメラ収容筒と、
前記エスカレータの上り方向を前方向とした場合の前記保護体の後端側に上下方向に延びた姿勢で設けられた筒体であって、前記電線部材の一部が収容された配線筒と、
前記エスカレータの欄干の基部の外側に設けられ、前記電線部材の前記一部とは別の一部が収容される外デッキボードとを有し、
前記電線部材は、前記配線筒の下端から出されて前記外デッキボードの内側に導かれた状態で配線され、
前記配線筒の上下方向にスリットを有し、前記電線部材を前記スリットに通すことを特徴とするエスカレータ監視装置。
【請求項２】
請求項１に記載のエスカレータ監視装置において、
前記配線筒の前記スリットにおける内面側のスリット幅は前記電線部材の幅より狭く、かつ、前記配線筒の前記スリットにおける外面側のスリット幅は前記電線部材の幅以上としたことを特徴とするエスカレータ監視装置。
【請求項３】
請求項１または２に記載のエスカレータ監視装置において、
前記カメラ収容筒と前記配線筒を兼ねる筒体を有し、前記筒体に前記スリットを有することを特徴とするエスカレータ監視装置。
【請求項４】
請求項１に記載のエスカレータ監視装置において、
前記カメラ収容筒と前記配線筒を兼ねる筒体を有し、前記筒体に前記スリットを有し、前記筒体内に反射防止シートを備え、前記電線部材における前記スリット内に位置する部分が前記反射防止シートと接着されることを特徴とするエスカレータ監視装置。
【請求項５】
請求項４に記載のエスカレータ監視装置において、
前記筒体の前記スリットにおける内面側のスリット幅は前記電線部材の幅より狭くし、かつ、前記筒体の前記スリットにおける外面側のスリット幅は前記電線部材の幅以上とし、さらに前記筒体の前記スリットにおける内面側のスリット幅は前記電線部材と前記反射防止シートとの接続部の幅より広くしたことを特徴とするエスカレータ監視装置。
【発明の詳細な説明】
【技術分野】
【０００１】
本発明は、監視カメラによりエスカレータを監視するエスカレータ監視装置に関する。
【背景技術】
【０００２】
建物にエスカレータが単独で設置されると、移動手摺と天井との間に狭角部（三角部）が形成されることになる。また、エスカレータの設置構造には、上下階床間に上りエスカレータと下りエスカレータとがその側面視において交差して併設されたものもある。この設置構造の場合には、エスカレータの移動手摺ともう一方のエスカレータの底部との間に狭角部が形成される。これらの狭角部には、乗客が挟まれることを防ぐための保護体が設けられるのが一般的である。
【０００３】
特許文献１に開示されたマンコンベアの安全装置においては、保護体としてのガード板の手前に、天井から筒状の検出体が吊り下げられている。この検出体の下端部は弾性体を介して欄干に繋がれている。上りエスカレータの乗客は保護体に接触する前に検出体に接触することによって、保護体に接触する前に狭角部の接近に気付かされる。
【０００４】
特許文献２に開示されたエスカレータの監視装置は、下階床側で保護体としての狭角部保護板に対向して位置する建屋の柱に、乗客の状況を撮影可能に設けられた監視カメラと、狭角部保護板の揺れを検出するセンサとを備えている。そして、センサが狭角部保護板の揺れを検出した時点の前後所定時間内で監視カメラにより撮影された影像を記録するようになっている。これにより、狭角部近傍における乗客の転倒、転落、あるいは挟まれる事故の状況を保存することができる。
【０００５】
監視カメラを設ける従来の技術としては、特許文献３に開示されたものがある。この従来の技術においては、上下階床のそれぞれの乗場に設けられた誘導柵に、監視カメラが設けられている。この監視カメラは、誘導柵の支柱に収容され、その支柱に設けられた監視窓からエスカレータ側を覗いて撮影を行うようになっている。
【先行技術文献】
【特許文献】
【０００６】
【特許文献１】実開昭６１−１５４２７８号公報
【特許文献２】特開２００２−１１４４７５号公報
【特許文献３】特開２００６−２０６２８３号公報
【発明の概要】
【発明が解決しようとする課題】
【０００７】
特許文献２に開示されたエスカレータの監視装置において、監視カメラにおいては、ガード板（保護体）の揺れを検出するセンサと、監視カメラが撮影した映像を表示するモニタと、その映像を記録する記録装置とが電線で接続されている。電線の配線には、その電線の露出を抑えるために配線モールが用いられる。その配線モールは天井、梁、床などに設けられ、電線を覆う。天井、梁、床などに設けられた配線モールは建物の美観を損なわせる、という問題がある。さらに、建屋側の配線工事による設置費用が掛かるという問題もある。
【０００８】
監視カメラは、特許文献２に開示されているように建屋の柱に設置されるものの他、建屋の天井に設置されるもの、建屋の壁に設置されるものがある。このように建屋の構造部に監視カメラを設置しようとする場合、建屋が吹き抜け構造であること、壁面がガラス仕上げであること、天井が特殊仕上げであることなどによって、監視カメラの設置箇所が制限される。または監視カメラを設置できない、という問題が生じる。
【０００９】
特許文献３に開示された技術は、誘導柵の支柱を設けるために、建屋の床の掘削、支柱の床への固定、配線ダクトの床下への埋設等、建屋工事期間や費用が掛かるという問題がある。さらに、欄干よりも低い誘導柵の支柱に監視カメラを設けるため、下から覗かれているという不信感を乗客に与える虞もある。
【００１０】
本発明は、前述の事情を考慮してなされたものであり、その目的は、エスカレータの乗客の状況を撮影する監視カメラを、下から覗かれているという不信感を乗客に与えず、かつ、乗客の邪魔にならない位置に設けることができ、また、監視カメラに接続される電線の露出を容易に抑えることができるエスカレータ監視装置を提供することにある。
【課題を解決するための手段】
【００１１】
前述の目的を達成するために、本発明は、天井とエスカレータの移動手摺との間に形成された狭角部、または、交差した状態で隣接する２つのエスカレータのうちの一方のエスカレータの底部と、他方のエスカレータの移動手摺との間に形成された狭角部と、狭角部に設けられ前記エスカレータの上昇運転時に乗客が狭角部に挟まれるのを防止するための保護体とを有する建物に設けられるエスカレータ監視装置において、エスカレータおよび乗客を撮影する監視カメラと、監視カメラを外部装置に電気的に接続する電線部材と、エスカレータの上り方向を前方向とした場合の保護体の後端側に上下方向に延びた姿勢で設けられた筒体であって、監視カメラが収容されたカメラ収容筒と、エスカレータの上り方向を前方向とした場合の保護体の後端側に上下方向に延びた姿勢で設けられた筒体であって、電線部材の一部が収容された配線筒と、エスカレータの欄干の基部の外側に設けられ、電線部材の前記一部とは別の一部が収容される外デッキボードとを有し、電線部材は、配線筒の下端から出されて外デッキボードの内側に導かれた状態で配線され、配線筒の上下方向にスリットを有し、電線部材をスリットに通すことを特徴としている。
【００１２】
このように構成した本発明によれば、監視カメラは、狭角部において保護体と共に設けられるカメラ収容部に収容されるので、監視カメラを、下から覗かれているという不信感を乗客に与えず、かつ、乗客の邪魔にならない位置に設けることができる。また、電線部材は配線筒の上下方向に設けられるスリットを通して、配線筒と外デッキボード間に配線されるので、天井や梁など、あるいはこれらの周囲の空間に配線する必要が無くなり、配線の露出を抑えることができる。
【００１３】
また、本発明においては、配線筒のスリットにおける内面側のスリット幅は電線部材の幅より狭く、かつ、配線筒のスリットにおける外面側のスリット幅は電線部材の幅以上としても良い。この構成によれば、電線部材が筒体内において動くことが防止されるので、電線部材を確実にスリット内に位置決めすることができる。
【００１４】
また、本発明においては、カメラ収容筒と配線筒を兼ねる筒体を有し、筒体にスリットを有するようにしても良い。この構成によれば、監視カメラと電線部材が同じ筒体に収容されるので、配線長が短くなり、配線の露出を抑えることができる。
【００１５】
また、本発明においては、カメラ収容筒と配線筒を兼ねる筒体を有し、筒体にスリットを有し、筒体内に反射防止シートを備え、電線部材におけるスリット内に位置する部分が反射防止シートと接着されるようにしても良い。この構成によれば、電線部材と反射防止シートとを接着することで、反射防止シートと電線部材が動きにくくなり、両者の位置ずれが起こりにくく、この両者を確実に位置決めすることができる。
【００１６】
また、本発明においては、筒体のスリットにおける内面側のスリット幅は電線部材の幅より狭くし、かつ、筒体のスリットにおける外面側のスリット幅は電線部材の幅以上とし、さらに筒体のスリットにおける内面側のスリット幅は電線部材と反射防止シートとの接続部の幅より広くしても良い。この構成によれば、電線部材が反射防止シートを接着した状態で電線部材をスリットに容易に通すことができるので、組立を容易に行うことができる。
【発明の効果】
【００１７】
本発明によれば、前述したように、監視カメラの位置は下から覗かれているという不信感を乗客に与えず、かつ、乗客の邪魔にならない。さらに、監視カメラに接続される電線の露出を配線筒により容易に抑えることができる。
【図面の簡単な説明】
【００１８】
【図１】本発明の一実施形態であるエスカレータ監視装置を備えるエスカレータであり、交差して設置された複数のエスカレータの側面図である。
【図２】本発明の一実施形態であるエスカレータ監視装置を、図１に示したエスカレータの設置構造に適用した場合におけるカメラ収容筒と配線筒とを兼ねる筒体を示す部分破断側面図である。
【図３】図２に示した筒体内の状態および筒体の吊下げ構造を示す図であり、（ａ）は筒体の部分断面図、（ｂ）は筒体の吊下げに用いられるベース部材およびリング部材の斜視図、（ｃ）は第１電線部材の斜視図である。
【図４】図３に示した第１電線部材が広げられた状態の拡大図である。
【図５】図４に示した第１電線部材のＡ−Ａ断面を示す図である。
【図６】図３に示した（ａ）の断面図である。
【図７】図３に示した筒体の部分断面の他の例を示す図である。
【図８】可動警告体に設けた筒部にカメラと配線を収容する実施形態を示す図である。
【図９】カメラ収容筒と配線筒を別の筒体とする実施形態を示す図である。
【図１０】上下階床間に設置された単独のエスカレータにエスカレータ監視装置を備える実施形態を示す図である。
【発明を実施するための形態】
【００１９】
以下、本発明に係るエスカレータ監視装置の実施の形態を図に基づいて説明する。
【００２０】
図１は、本発明の一実施形態であるエスカレータ監視装置を備えるエスカレータであり、交差して設置された複数のエスカレータの側面図である。
【００２１】
図１に示す３階建ての建物内において、１階床と２階床との間に設置された第１上りエスカレータ１Ａと、２階床と３階床との間に設置された第２上りエスカレータ１Ｂとは、第１上りエスカレータ１Ａの降り場と第２上りエスカレータ１Ｂの乗場とが踊り場を形成し、側面視において屈曲形状を成すように併設されている。これと同様に、１階床と２階床との間に設置された第１下りエスカレータ２Ａと、２階床と３階床との間に設置された第２下りエスカレータ２Ｂとは、第１下りエスカレータ２Ａの乗場と第２下りエスカレータ２Ｂの降り場とが踊り場を形成し、側面視において第１上りエスカレータ１Ａと第２上りエスカレータ１Ｂの場合とは逆向きに屈曲形状を成すように併設されている。建物内のスペースを有効に利用するため、第１上りエスカレータ１Ａと第２下りエスカレータ２Ｂは、上下方向において重なって配置されている。これと同様に第２上りエスカレータ１Ｂと第１下りエスカレータ２Ａも上下方向に重なって配置されている。
【００２２】
このように第１上りエスカレータ１Ａ、第２上りエスカレータ１Ｂ、第１下りエスカレータ２Ａおよび第２下りエスカレータ２Ｂが設置されているため、第１上りエスカレータ１Ａの移動手摺５と第１下りエスカレータ２Ａの底部２ａとの間、第１下りエスカレータ２Ａの移動手摺５と第１上りエスカレータ１Ａの底部２ａとの間、第１上りエスカレータ１Ａの移動手摺５と第２上りエスカレータ１Ｂの底部２ａとの間、第１下りエスカレータ２Ａの移動手摺５と第２下りエスカレータ２Ｂの底部２ａとの間、第２上りエスカレータ１Ｂの移動手摺５と第２下りエスカレータ２Ｂの底部２ａとの間、第２下りエスカレータ２Ｂの移動手摺５と第２上りエスカレータ１Ｂの底部２ａとの間のそれぞれには、狭角部７が形成されている。
【００２３】
第１上りエスカレータ１Ａは、１階床から２階床に架け渡されて第１上りエスカレータ１Ａの骨組みを成したフレーム３と、このフレーム３に無端状に移動可能に設けられた複数の踏段（図示していない）と、これらの踏段のうち乗客を運搬する踏段の軌道を挟んで対向して位置する１対の欄干４と、１対の欄干４のそれぞれを、その外側すなわち踏段の軌道側とは反対側から支持する外デッキボード６とを備えている。移動手摺５は、欄干４周りを無端状に移動するようになっている。フレーム３の内側には、図示していないが、モータと、このモータの出力を踏段および移動手摺５に伝達する伝達装置、モータを制御する制御盤などが設けられている。フレーム３は外デッキボード６などの板部材に覆われていて、これにより、前述のモータ、伝達装置および制御盤などを格納する格納部２が形成されている。格納部２の下面が第１上りエスカレータ１Ａの底部２ａである。
【００２４】
第２上りエスカレータ１Ｂ、第１下りエスカレータ２Ａおよび第２下りエスカレータ２Ｂも、第１上りエスカレータ１Ａと同様に構成されている。なお、第２上りエスカレータ１Ｂの底部２ａには、第１下りエスカレータ２Ａを照らす照明装置（図示していない）が設けられている。第２下りエスカレータ２Ｂの底部２ａには、第１上りエスカレータ１Ａを照らす照明装置（図示していない）が設けられている。それらの照明装置に電力を供給する電線部材（図示していない）は、その照明装置が設けられたエスカレータの格納部２内に配置されている。
【００２５】
図１において、互いに交差するエスカレータ間に形成される狭角部７には、乗客が挟まれるのを防ぐための保護体が設けられている。例えば、第１上りエスカレータ１Ａの移動手摺５と第１下りエスカレータ２Ａの底部２ａとによって形成された狭角部７には、その保護体として、第１下りエスカレータ２Ａの底部２ａに対し固定された台形状の板部材から成る固定保護体８が設けられている。さらに、第１上りエスカレータ１Ａの上り方向（矢印Ｕ方向）を前方向とした場合の固定保護体８の後側には、第１下りエスカレータ２Ａの底部２ａに吊り下げられた台形状の板部材から成る可動警告体９が設けられている。この可動警告体９も保護体の一種である。固定保護体８および可動警告体９は互いに同一材質の部材、例えば透明アクリル製の部材である。固定保護体８および可動警告体９は外デッキボード６の上方に配置されている。
【００２６】
可動警告体９の後端に、上下方向に延びた透明アクリル製の筒部９ａが可動警告体９と一体に設けられている。この筒部９ａは、固定保護体８や可動警告体９の板厚寸法よりも大きな外径寸法の円筒状である。すなわち、乗客が可動警告体９に接触したときの衝撃を拡散しやすくすることで、乗客の可動警告体９への接触時の安全性を高めている。乗客は固定保護体８に接触する前に可動警告体９に接触することによって、固定保護体８に接触する前に狭角部７の接近に気付かされる。
【００２７】
可動警告体９の筒部９ａの後方には、第１上りエスカレータ１Ａの乗場１ａの周辺およびそこにいる乗客を撮影するための監視カメラ１１が配置されている。この監視カメラ１１は、第１下りエスカレータ２Ａの底部２ａに吊り下げられている。
【００２８】
可動警告体９の筒部９ａの後方には、上下方向に延びた筒体１０が配置されている。この筒体１０は、その上部内に監視カメラ１１を収容した状態で、第１下りエスカレータ２Ａの底部２ａに吊り下げられている。つまり、筒体１０は、監視カメラ１１を収容するカメラ収容筒として機能している。なお、筒体１０の外径寸法（図２に示すφＤ）は、可動警告体９の筒部９ａと同様に、固定保護体８や可動警告体９の板厚寸法よりも大きな値に設定される。また、筒体１０の内径寸法は、監視カメラ１１を収容できる値に設定される。
【００２９】
図２に示すように、監視カメラ１１には、電線部材２０が接続されている。この電線部材２０は監視カメラ１１への電力供給、および、監視カメラ１１外部への映像データの伝送などのためのケーブルである。
【００３０】
電線部材２０の一部は筒体１０に収容された状態で配線されている。つまり、筒体１０は電線部材２０の一部を収容する配線筒としても機能している。
【００３１】
監視カメラ１１の電源、および、監視カメラ１１の映像データが伝送される外部装置としての映像記録装置２４は、格納部２内に設けられている。電線部材２０はそれら電源および映像記録装置２４に格納部２内で接続されている。なお、映像記録装置２４は建物の管理室に設けられることもあり、この場合、電線部材２０は管理室から格納部２まで引き回された電線部材を介して映像記録装置２４に接続される。
【００３２】
電線部材２０は、第１電線部材２１、第２電線部材２２および第３電線部材２３が一筋に接合されて構成された部分を有する。第１電線部材２１は一端が監視カメラ１１に接続されるコネクタ２１ａを有し、もう一端に接続端子を含む雌型コネクタ２１ｂをそれぞれ有する。第２電線部材２２はその両端に接続端子を含む雄型コネクタ２２ｂ，２２ｃをそれぞれ有する。第３電線部材２３はその一端に接続端子を含む雌型コネクタ２３ｃを有し、その他端が直接または間接的に映像記録装置２４に接続されている。
【００３３】
第１電線部材２１の他端の接続端子と第２電線部材２２の一端の接続端子とは、雌型コネクタ２１ｂと雄型コネクタ２２ｂとの結合によって接続されている。第２電線部材２２の他端の接続端子と第３電線部材２３の一端の接続端子とは、雄型コネクタ２２ｃと雌型コネクタ２３ｃとの結合によって接続されている。雌型コネクタ２１ｂ、雄型コネクタ２２ｂ、雄型コネクタ２２ｃおよび雌型コネクタ２３ｃのそれぞれのハウジングは、絶縁材料（合成樹脂）の成形物である。
【００３４】
雌型コネクタ２１ｂと雄型コネクタ２２ｂとが結合した状態において、第１電線部材２１の他端の接続端子および第２電線部材２２の一端の接続端子は、雌型コネクタ２１ｂのハウジングと雄型コネクタ２２ｂのハウジングとにより覆われて外部と電気的に絶縁された状態となる。雄型コネクタ２２ｃと雌型コネクタ２３ｃとが結合した状態において、第２電線部材２２の他端の接続端子および第３電線部材２３の一端の接続端子は、雄型コネクタ２２ｃのハウジングと雌型コネクタ２３ｃのハウジングとにより覆われて外部と電気的に絶縁された状態となる。
【００３５】
前述したように、電線部材２０の一部は筒体１０に収容されているが、その一部とは主に第１電線部材２１である。
【００３６】
第３電線部材２３は、雌型コネクタ２３ｃが外デッキボード６から露出した状態で、残りの部分が格納部２内に位置するように配置されている。
【００３７】
また、図１に示すように、固定保護体８の下縁、可動警告体９の下縁、筒部９ａの下端および筒体１０の下端は、移動手摺５よりも下方に位置する。特に、筒部９ａの下端および筒体１０の下端は、移動手摺５よりも２００ｍｍ以上下方に位置する。
【００３８】
図２，３に示すように、監視カメラ１１は、円筒状のケース１１ａと、このケース１１ａから突出して設けられたレンズ（図示していない）と、このレンズを覆うドーム型のカバー１１ｂとを有する。この監視カメラ１１は、ケース１１ａが上側に位置しカバー１１ｂが下側に位置するように第１下りエスカレータ２Ａの底部２ａに吊り下げられている。監視カメラ１１のレンズの画角αは、１階床の乗場１ａの周辺および狭角部７（図１参照）が撮影範囲として含まれるように設定されている。
【００３９】
監視カメラ１１が第１下りエスカレータ２ａの底部２Ａに吊り下げられた状態において、ケース１１ａの上面にケーブルとのコネクタを有し、第１電線部材２１のコネクタ２１ａが接続されている。また、ケース１１ａの上面には、上方向に突出して、ケース１１ａの径方向に並んだ吊り部１２，１３が設けられている。これらの吊り部１２，１３の上端部には、ケース１１ａの径方向に貫通した吊り孔１２ａ，１３ａがそれぞれ形成されている。吊り孔１２ａの位置と吊り孔１３ａの位置は、第１下りエスカレータ２Ａの底部２ａの傾斜角度に対応するよう高さが異なっている。これら吊り孔１２ａ，１３ａのそれぞれにはリング部材１４，１５のそれぞれが挿通されている。第１下りエスカレータ２Ａの底部２ａには板状のベース部材１６がネジ止めされている。このベース部材１６には環状支持部１６ａ，１６ｂが形成されている。これら環状支持部１６ａ，１６ｂのそれぞれにもリング部材１４，１５がそれぞれ挿通されている。つまり、監視カメラ１１は吊り部１２，１３、リング部材１４，１５、ベース部材１６を介して第１下りエスカレータ２Ａの底部２ａに吊り下げられている。
【００４０】
このようにして第１下りエスカレータ２Ａの底部２ａに吊り下げられた監視カメラ１１は、筒体１０に収容されている。この筒体１０は、その上端部において吊り部１２にネジ１７によって締結されている。吊り部１３に対してもネジ１８によって締結されている。つまり、筒体１０は、吊り部１２，１３、リング部材１４，１５、ベース部材１６を介して第１下りエスカレータ２Ａの底部２ａに吊り下げられている。
【００４１】
また、筒体１０の下端部と外デッキボード６との間には、第１下りエスカレータ２Ａの底部２ａに対する筒体１０の振れを抑える振れ止め部材として、振れ止めワイヤ３０が張られている。筒体１０の下端部には、筒体１０内に径方向に架け渡された第１取付棒３１と、この第１取付棒３１の上方で、この第１取付棒３１と十字状に交差した状態で筒体１０内に径方向に架け渡された第２取付棒（図示していない）とが設けられている。第１取付棒３１の一端には筒体１０の外周側からネジ３２が螺合している。第１取付棒３１の他端にも筒体１０の外周側からネジ３３が螺合している。ネジ３２，３３のそれぞれの頭部の両方により第１取付棒３１の筒体１０に対する径方向の移動が規制されて、第１取付棒３１は筒体１０に対して抜け止めされている。これと同様にして第２取付棒も筒体１０に対して抜け止めされている。３４は第２取付棒の抜け止めのための一方のネジである。
【００４２】
振れ止めワイヤ３０の筒体１０側の端部に設けられた環状部に第１取付棒３１と第２取付棒との両方が挿通された状態になっていることによって、振れ止めワイヤ３０の一端が第１取付棒３１と第２取付棒との交差部に保持されている。筒体１０の下方に位置する外デッキボード６の部分には、取付部材３６が設けられている。この取付部材３６には挿通孔３６ａが設けられている。振れ止めワイヤ３０の外デッキボード６側の端部には、挿通孔３６ａに挿通された環状部が設けられていることにより、外デッキボード６に結合している。なお、振れ止め部材はワイヤではなくチェーンであってもよい。
【００４３】
第２電線部材２２のうち、筒体１０の下端と外デッキボード６との間に位置する部分は、バインド線４０，４１により振れ止めワイヤ３０に留められている。
【００４４】
第１電線部材２１は、反射防止シート２１ｄ上に配置したケーブル２１ｃと、ケーブル２１ｃの両端にそれぞれ設けられた前述のカメラ接続用のコネクタ２１ａおよび雌型コネクタ２１ｂとを有する。ケーブル２１ｃにおいては、そのインピーダンスが第２電線部材２２の特性インピーダンスと合致するように設定されている。
【００４５】
図２に示すように、筒体１０の下端から内部には、建物の照明の光Ｃが入射される。光Ｃの入射角βが臨界角より大きい角度であると全反射が発生する。全反射した光Ｃは筒体１０の内壁面での反射を繰り返しながら監視カメラ１１の方向に進み、監視カメラ１１の画角α内に入る。この結果、映像に光Ｃが入り込む現象、いわゆる写り込みが発生する。
【００４６】
その写り込みの対策として、図３に示すように、反射防止シート２１ｄは、筒体１０の内壁面を覆って監視カメラ１１への不要な光Ｃの入射を低減する手段として機能する寸法、形状となるように設定されている。この反射防止シート２１ｄは上下方向の長さ寸法は、監視カメラ１１のケース１１ａの上端から筒体１０の下端までの長さよりも若干短い長さ寸法Ｌａに設定されている。反射防止シート２１ｄの幅寸法は、筒体１０の内周の略半周分と同じ寸法に設定されている。
【００４７】
また、第１電線部材２１はさらに目隠し部２１ｅを有する。この目隠し部２１ｅの上下方向の長さ寸法は、筒体１０内に位置する吊り部１２，１３の部分全体を覆い隠すことができる長さ寸法Ｌｂに設定されている。第１電線部材２１の上下方向の長さ寸法Ｌは、反射防止シート２１ｄの長さ寸法Ｌａと目隠し部２１ｅの長さ寸法Ｌｂとを合計したものに設定されている。目隠し部２１ｅの幅寸法Ｗは、筒体１０の内周と略同寸法に設定されている。
【００４８】
反射防止シート２１ｄの幅方向において、目隠し部２１ｅと反射防止シート２１ｄとの結合部は電線の筋２１ｃ１に偏った位置に設定されているため、図４に示すように第１電線部材２１の形状はＬ字状を成している。なお、反射防止シート２１ｄと目隠し部２１ｅの結合部が幅方向において目隠し部２１ｅの中央に設定されてＴ字状でもよい。
【００４９】
第１電線部材２１は、目隠し部２１ｅ側の縁の高さ位置が筒体１０の上端の高さ位置に略一致した状態で筒体１０に収容されている。反射防止シート２１ｄは、筒体１０に収容された状態において、監視カメラ１１の画角α外に位置する筒体１０の内壁面のうち画角αとは反対側で、内壁面に沿って半円筒状を成した状態で、筒体１０の略半周に亘る領域を覆っている。
【００５０】
半円筒の内周面である反射防止シート２１ｄの一方の面は、明度の低い色、例えば黒色である。反射防止シート２１ｄに対する黒色の着色は、シート部材に黒色のシート状のシールを貼付けることによって実現してもよいし、黒色の塗料を塗布して実現してもよい。
【００５１】
反射防止シート２１ｄの他方の面には、カメラ作動中であること、および、狭角部７への乗り出しの注意を喚起する文章、イラストおよびマークの少なくとも１つが、印刷またはシールの貼付けにより設けられている。これらの文章、イラストおよびマークなどではなく、単なる色柄のみが施されていてもよい。
【００５２】
図４に示すように、第１電線部材２１の目隠し部２１ｅには第１留め孔２１ｆと、第２留め孔２１ｇが設けられている。筒体１０に収容された目隠し部２１ｅの状態は、一端側とその反対側の他端側とが当接して円筒状を成した状態である。この状態では、第１留め孔２１ｆと第２留め孔２１ｇとが径方向において対向して位置する。第１留め孔２１ｆには、筒体１０を吊り部１２に締結するネジ１７が挿通される。これと同様に、対向して位置する第２留め孔２１ｇには、筒体１０を吊り部１３に締結しているネジ１８が挿通される。なお、図３では、第１留め孔２１ｆおよび第２留め孔２１ｇの図示を省略してある。
【００５３】
次に、図５に示すように、第１電線部材２１のケーブル２１ｃは反射防止シート２１ｄ上に被覆材２１ｈにより接着されている。すなわち、第１電線部材２１の断面は反射防止シート２１ｄに対しケーブル２１ｃが盛り上がった凸型をなし、かつ、反射防止シート２１ｄとの接続部の幅Ｄ１はケーブル断面径φＤｃより小さくなっている。なお、図２，３，４では被覆材２１ｈの図示を省略してある。
【００５４】
図６に示すように、筒体１０はスリット１０ａを有する。第１電線部材２１のケーブル２１ｃは、スリット１０ａに通され、このスリット１０ａ内に位置する。従って、第１電線部材２１のスリット１０ａ内に位置する部分が、反射防止シート２１ｄと接着されていることになる。スリット１０ａの外面側のスリット幅Ｄｓｏは内面側のスリット幅Ｄｓｉよりも広くなっている。また、内面側のスリット幅Ｄｓｉはケーブル２１ｃと反射防止シート２１ｄの接続部の幅Ｄ１（図５参照）より広く、外面側のスリット幅Ｄｓｏはケーブル断面径φＤｃ（図５参照）以上となっている。すなわち、筒体１０のスリット１０ａと第１電線部材２１との寸法の関係は、次式（１）のようになる。
【００５５】
Ｄｓｏ≧Ｄｃ＞Ｄｓｉ＞Ｄ１・・・・（１）
である。さらに、ケーブル２１ｃが装着される反射防止シート２１ｄは筒体１０の内面に配置されるが、ケーブル２１ｃはスリット１０ａを通して筒体１０の外側に沿って配置されている。
【００５６】
なお、筒体１０のスリット１０ａの寸法は、図６に示したものに限らず、図７に示すように、外面側のスリット幅Ｄｓｏと内面側のスリット幅Ｄｓｉとが略等しくても良い。
【００５７】
上述したような実施形態によれば、次のような主要な効果を得られる。
【００５８】
本実施形態に係るエスカレータ監視装置においては、保護体としての固定保護体８および可動警告体９の後端側で上下方向に延びた筒体１０内に監視カメラ１１が位置する。これにより、監視カメラ１１の位置は下から覗かれているという不信感を乗客に与えず、かつ乗客の邪魔にならない。さらに、監視カメラ１１に接続される電線部材２０に含まれる第１電線部材２１のケーブル２１ｃを、筒体１０のスリット１０ａを通して筒体１０に沿わせるように配線することにより、配線の露出を抑えることができる。さらに、天井や梁等に配線しなくてもよく、配線モールを用いなくても配線の露出を抑えることができる。また、配線が露出する個所が、筒体１０の下方端部と外デッキ間の短距離内となるため、筒体１０の空間に配線を引き回すような空中配線となることを抑えることができる。
【００５９】
さらに、電線部材２０に含まれる第１電線部材２１のケーブル２１ｃが反射防止シート２１ｄに接着されているので、ケーブル２１ｃをスリット１０ａに通すことにより、反射防止シート２１ｄが案内されながら筒体１０内に挿入され得る。このため、筒体１０内における反射防止シート２１ｄの位置決めが容易であると共に、筒体１０内における反射防止シート２１ｄの位置ずれを防止することができる。また、第１電線部材２１のケーブル２１ｃが反射防止シート２１ｄに接着されているので、反射防止シート２１ｄが抵抗となって、第１電線部材２１のケーブル２１ｃがスリット１０ａから筒体１０の外側へ抜け出ることが防止されるので、第１電線部材２１のケーブル２１ｃを確実にスリット１０ａ内に位置させることができる。
【００６０】
また、筒体１０の外面側のスリット幅Ｄｓｏ、内面側のスリット幅Ｄｓｉ、ケーブル２１ｃと反射防止シート２１ｄの接続部の幅Ｄ１（図５参照）、ケーブル断面径φＤｃ（図５参照）を上式（１）のように設定することにより（Ｄｓｏ≧Ｄｃ＞Ｄｓｉ＞Ｄ１）、第１電線部材２１のケーブル２１ｃが反射防止シート２１ｄを接着した状態でこのケーブル２１ｃをスリット１０ａに容易に通すことができるので、組立が容易になる。また、上式（１）のようにＤｓｏ≧Ｄｃ＞Ｄｓｉと設定されるので、ケーブル２１ｃが筒体１０内に突出したり抜け出たりすることが防止される。このため、筒体１０内における反射防止シート２１ｄの位置決め、およびスリット１０ａ内における第１電線部材２１のケーブル２１ｃの位置決めがより確実となる。
【００６１】
上述したような実施形態によれば、さらに、次のような効果も得られる。
【００６２】
本実施形態に係るエスカレータ監視装置において、カメラ収容筒である筒体１０は可動警告体９と並んで設けられているので、監視カメラ１１を設置するために特別に設けられたという違和感を与えにくくすることができる。
【００６３】
また、本実施形態にあっては、筒体１０がカメラ収容筒と配線筒を兼ね、第１電線部材２１等を含む電線部材２０は筒体１０の下端から外デッキボード６の内側、すなわち格納部２内に配線されている。これにより、電線部材２０の配線を、底部２ａ、建物の柱、天井などに配線しなくて済ませることができる。つまり、監視カメラ１１と映像記録装置２４とを接続する電線部材２０の配線を配線モールを用いずに実現でき、また、電線部材２０の配線作業に足場を組む必要がない。従って、エスカレータ監視装置の設置を短時間で行うことができ、また、設置に要する費用も低減できる。
【００６４】
また、本実施形態にあっては、電線部材２０は第１電線部材２１、第２電線部材２２、第３電線部材２３が一筋に接合されて構成された部分を有するので、電線部材２０の配線を円滑に行うことができる。
【００６５】
また、本実施形態にあっては、反射防止シート２１ｄが監視カメラ１１への不要な光Ｃの入射を低減する。これにより、監視カメラ１１により撮影された映像への光の写り込みを減少させることができる。
【００６６】
また、本実施形態にあっては、第１電線部材２１は反射防止シート２１ｄに接着され、一体化される。これにより、部品点数を削減できる。
【００６７】
また、本実施形態にあっては、第１電線部材２１は、ケーブル２１ｃを筒体１０に設けられたスリット１０ａに通すことにより、反射防止シート２１ｄを容易に所定の位置に取り付けることができる。また、反射防止シート２１ｄが筒体１０の内面から浮き上がることを防止することができる。
【００６８】
また、本実施形態にあっては、筒体１０が配線筒として機能し、その上端は上方のエスカレータの底部２ａの近傍に位置し、その下端は上下方向において移動手摺５と外デッキボード６の間に位置する。これにより、底部２ａと移動手摺５との間に位置する電線部材２０の部分の全体または略全体を筒体１０により覆うことができ、かつ、筒体１０の下端から出された電線部材２０の部分と乗客との間に欄干４を隔てることができる。この結果、電線部材２０を悪戯による切断から守ることができる。
【００６９】
また、本実施形態にあっては、第１電線部材２１と第２電線部材２２との接続、第２電線部材２２と第３電線部材２３との接続とに、接続端子同士を接続・離反可能にするコネクタ、すなわち雌型コネクタ２１ｂ、雄型コネクタ２２ｂ、雄型コネクタ２２ｃ、および雌型コネクタ２３ｃが用いられているので、それらの接続を容易に行うことができ、監視カメラ１１と電源および映像記録装置２４など、監視カメラ１１の設置に係る配線作業の効率を向上させることができる。
【００７０】
本発明の実施形態は上述したものに限られず、本発明の技術的思想の範囲内で、種々の実施形態が可能である。
【００７１】
例えば、上述した実施形態においては、筒体１０がカメラ収容筒と配線筒との両方を兼ねていたが、図８に示すように、筒体１０を設けずに、可動警告体９の筒部９ａがカメラ収容筒と配線筒の両方を兼ねていてもよい。また、図示しないが、筒体１０に加えて可動警告体９も設けず、固定保護体８に筒部を設け、この筒体がカメラ収容筒と配線筒との両方を兼ねたものでもよい。さらに、図９で示すように、筒体１０がカメラ収容筒として機能し、可動警告体９の筒部９ａが配線筒として機能するものでもよい。この場合、反射防止シート２１ｄは筒体１０に設けられ、電線部材２０に含まれる第１電線部材２１のケーブル２１ｃを通すスリットは可動警告体９の筒部９ａに設けられる。
【００７２】
さらに、上述した本実施形態においては、第１電線部材２１と第２電線部材２２との接続、第２電線部材２２と第３電線部材２３との接続に、雌型コネクタ２１ｂと雄型コネクタ２２ｂ、および、雄型コネクタ２２ｃと雌型コネクタ２３ｃがそれぞれ用いられたが、本発明の実施形態はそれらの接続にコネクタを用いるものに限定されるものではなく、ネジや半田により接続を行って外部との電気的絶縁を確保してもよい。
【００７３】
また、上述した実施形態においては、互いに交差するエスカレータ間に形成される狭角部７にエスカレータ監視装置を設けたが、図１０に示すように、天井５１とエスカレータの移動手摺５との間に形成された狭角部５２にエスカレータ監視装置を設けても良い。図１０では、建物内において、１階床から２階床に乗客を搬送する上りエスカレータ５０が単独に設けられている。この上りエスカレータ５０の移動手摺５と１階の天井５１との間には、狭角部５２が形成されている。この狭角部５２に、固定保護体８、可動警告体９、および監視カメラ１１が収容され、上述した電線部材２０に含まれる第１電線部材２１のケーブル２１ｃが保持される筒体１０が設けられている。
【符号の説明】
【００７４】
１Ａ  第１上りエスカレータ
１Ｂ  第２上りエスカレータ
２Ａ  第１下りエスカレータ
２Ｂ  第２下りエスカレータ
２ａ  底部
５    移動手摺
６    外デッキボード
７    狭角部
８    固定保護体（保護体）
９    可動警告体（保護体）
１０    筒体（カメラ収容筒）（配線筒）
１０ａ  スリット
１１    監視カメラ
２０    電線部材
２１    第１電線部材
２１ｃ  ケーブル
２１ｄ  反射防止シート
２２    第２電線部材
２３    第３電線部材
５０    上りエスカレータ
５１    天井
５２    狭角部
【図１】
2011230874.tif 000003
【図２】
2011230874.tif 000004
【図３】
2011230874.tif 000005
【図４】
2011230874.tif 000006
【図５】
2011230874.tif 000007
【図６】
2011230874.tif 000008
【図７】
2011230874.tif 000009
【図８】
2011230874.tif 000010
【図９】
2011230874.tif 000011
【図１０】
2011230874.tif 000012